(57)【要約】【課題】生ごみ等の有機性廃棄物を原料にしたメタン発酵処理装置では、安定した処理を実現するために、スラリー状有機性廃棄物を所定の固形物（ＴＳ）濃度にする調整を行う。この調整は外部希釈水を添加して行っているが、処理のランニングコストを増大させている。本発明の目的は、外部希釈水の水量を低減する装置を提供することにある。【解決手段】メタン発酵発酵処理過程で生成するバイオガスの中に含まれる水分を、冷却水循環型のガス冷却器などを使用して分離回収し、配管を通して原料希釈水の一部として使用することで、外部からの水の添加量を少なくすることができる。【選択図】        図１
2004237181.tif 000002
【特許請求の範囲】
【請求項１】
生ごみ等の有機性廃棄物をメタン発酵処理してバイオガス等の資源回収を回収するメタン発酵処理装置において、バイオガス中に含まれる水分を回収して原料希釈水の一部として使用することを特徴とする有機性廃棄物のメタン発酵処理装置。
【請求項２】
請求項１に記載の有機性廃棄物のメタン発酵処理装置において、バイオガス中に含まれる水分の回収に、冷却水循環型のガス冷却器を使用することを特徴とする有機性廃棄物のメタン発酵処理装置。
【発明の詳細な説明】
【０００１】
【発明の属する技術分野】
本発明は、生ごみ、食品加工残滓、畜産廃棄物、消化汚泥、活性汚泥処理などの余剰汚泥を含む有機性廃棄物のメタン発酵処理方法に関する。
【０００２】
【従来の技術】
生ごみ、汚泥等の有機性廃棄物のほとんどは、焼却や埋立処分されているが、焼却に伴うダイオキシンの発生や埋立処分地の逼迫や悪臭などの問題から、環境負荷の少ない処理方法が求められている。これらの問題を解決するために有機性廃棄物をメタン発酵処理し、発生したメタンガスを燃料電池やガスエンジンを用いて発電するシステムが開発されている。
メタン発酵は、投入原料となる有機性廃棄物を粉砕・スラリー化した後に、このスラリーを発酵槽に投入し、嫌気性下でメタン菌により発酵処理することで、有機性廃棄物をメタンガスに転換するもので、投入原料の性状や運転条件などにより、様々な処理方法や発酵槽が提案されている。
【０００３】
このメタン発酵法は、有機性廃棄物をバイオガスと水と残さ、廃液とに分解して大幅に固形成分を減量することができ、またメタン発酵自体が嫌気性処理で曝気動力が不要であるために省エネルギーの処理法であり、しかも副産物として生成するバイオガス中にはメタンガスが大量に含まれており、このメタンガスを熱原料として利用することで、エネルギーを回収できるというメリットがある。
従来、生ごみ等の有機性廃棄物をメタン発酵法で効率的に処理するシステムとしては、有機性廃棄物をペースト状に粉砕して、５０〜６０℃で大きな活性を示す高温メタン菌で処理するシステムが、特開平１０−１３７７３０や特開平１３−４６９９７等の特許公報に開示されている。このシステムでは、３６〜３８℃の中温で活性が大きくなる中温菌に比べて、５０〜６０℃で働く高温菌は、２〜３倍の活性を持っており、高温菌でメタン発酵を行うことで分解速度の向上と消化率の向上を図ることができるとしている。
【０００４】
これら、従来技術の例としてのメタン発酵装置の構成図を図３に示し、その処理の概要を説明する。
この図においてメタン発酵装置は、粗粉砕機２と微粉砕機３とからなる粉砕装置１、スラリー調整槽４、メタン発酵槽５などで構成されている。メタン発酵の原料となる有機性廃棄物（原料生ゴミ）１１は粉砕装置１で処理されるが、まず、高圧粉砕機等の粗粉砕機２で粉砕され、さらに分解速度の向上と消化率の向上を図るために微粉砕機３で微粉砕・ペースト化される。このペースト状有機性廃棄物１２は、スラリー調整槽４に投入され、外部希釈水１４と混合されて適当な固形物濃度に希釈調整されてスラリー化される。このスラリー状有機性廃棄物１３はメタン発酵槽５に送られ、メタン発酵槽５内でメタンガスを多量に含むバイオガス１５と残さ・廃液１６とに分解されて、処理を終了する。
【０００５】
【発明が解決しようとする課題】
有機性廃棄物のメタン発酵で安定した処理を実現するためには、前記のスラリー状有機性廃棄物１３の性状は、固形物（ＴＳ）濃度１０％程度、ＣＯＤ負荷５〜２０ｋｇ−ＣＯＤ／ｍ３・ｄ、発酵槽内滞留時間１０〜２５日といった条件で運転されることが多い。通常、ペースト状有機性廃棄物１２のＴＳ濃度は２０〜３０％程度であり、所定のＴＳ濃度にするためには、原料としての有機性廃棄物１１に１〜２倍程度の希釈水を添加する必要があり、前記の外部希釈水１４で調整されている。
【０００６】
しかしながら、この外部希釈水１４の水源を確保することは、メタン発酵処理装置のランニングコストの増大につながるという問題があった。
本発明の目的は、有機性廃棄物のメタン発酵で安定した処理を実現しながら、上記の問題点を解決するために、外部希釈水の水量を低減する方法を提供することにある。
【０００７】
【課題を解決するための手段】
上記の目的を達成するために、本発明においては、生ごみ等の有機性廃棄物をメタン発酵処理してバイオガス等の資源回収を回収するメタン発酵処理装置において、バイオガス中に含まれる水分を回収して原料希釈水の一部としてとして使用することとする。
また、その際に、バイオガス中に含まれる水分の回収に、冷却水循環型のガス冷却器を使用することとする。
この結果、外部からの水の添加量を少なくすることができ、ランニングコストを低減できる。
【０００８】
【発明の実施の形態】
以下、本発明の実施例について、図１に基づき説明する。
図１は、本発明の実施例としてのメタン発酵装置の構成図である。本発明の構成図の図１は、従来技術例の構成図の図３と比べて、ガス冷却器６とガス冷却器６で分離された回収水１７を外部希釈水１４のスラリー調整槽４の口に戻す配管とが追加されている点が異なる。
本発明での処理で従来技術と異なっている点の概要を以下に説明する。
図１において、有機性廃棄物（原料生ゴミ）１１は、粉砕処理でペースト状にされ、外部希釈水１４との混合でスラリー化されて、メタン発酵槽５に送られる。メタン発酵槽５内では、水蒸気と多量のメタンガスとを含むバイオガス１５と、残さ・廃液１６とに分解されるが、このバイオガス１５はさらにガス冷却器６を通り、ここで水蒸気を除去されたバイオガス１８と水蒸気の液化した水とに分離され、その中の液化した水は回収水１７として新設された配管で外部希釈水１４に合流してスラリーの調整に使用され、外部希釈水の添加量の減少に役立つ。
【０００９】
次に、本発明の実験例について、図２に基づき説明する。
この実験例では、図２に示すようにメタン発酵槽５とガス冷却器６とで実験装置を構成し、槽容量２Ｌのメタン発酵槽５を用いて、発酵温度５５℃での発酵試験を行った。有機性廃棄物を模擬した基質としては、果物類、穀物類、肉、魚類などからなる模擬生ゴミを使用した。この模擬生ゴミは重量比１：１の水で希釈し、固形分濃度が約１０％となるように調整したものを用いた。１回／日残さ・廃液として一定量の槽内容物の基質引抜２０を行った後、基質投入１９を行うものとし、槽内の基質滞留時間が１５日になるように運転を行った。発生したバイオガス１５は、１０℃の冷却水を循環したガス冷却器６を通すことで、水蒸気を除去したバイオガス１８と回収水１７とに分離し、ガス発生量と回収水量とを測定した。この運転に於いて、バイオガスは約１０Ｌ／日発生し、この時回収された水量は約２ｇ／日であった。滞留時間１５日の運転で投入される基質量は約１３０ｇであり、１：１の希釈では希釈水として６５ｇの水が使用される。回収された水は必要量の約３％であり、回収水を原料希釈水としてスラリー調整槽に戻して使用することにより、外部からの水添加量を約３％削減することができた。
【００１０】
メタン発酵槽で発生したバイオガス中に含まれる水を回収し、原料希釈水としてスラリー調整槽に戻した。外部からの水添加量を低減することができた。
【００１１】
【発明の効果】
有機性廃棄物のメタン発酵処理装置で、ガス冷却器などでバイオガス中に含まれる水分を回収して、原料希釈水の一部としてとして使用することにより、外部から供給する水の量を低減することができる。
【図面の簡単な説明】
【図１】本発明のメタン発酵装置の構成図
【図２】本発明のメタン発酵の実施例を示す図
【図３】従来技術の例としてのメタン発酵装置の構成図
【符号の説明】
１：    粉砕装置
２：    粗粉砕機
３：    微粉砕機
４：    スラリー調整槽
５：    メタン発酵槽
６：    ガス冷却器
１１：    有機性廃棄物（原料生ゴミ）
１２：    ペースト状有機性廃棄物
１３：    スラリー状有機性廃棄物
１４：    外部希釈水
１５：    バイオガス
１６：    残さ・廃液
１７：    回収水
１８：    バイオガス（水蒸気無し）
１９：    基質投入（模擬生ゴミ）
２０：    基質引抜
２１：    冷却水
【図１】
2004237181.tif 000003
【図２】
2004237181.tif 000004
【図３】
2004237181.tif 000005